(57)【要約】【課題】家庭用精米機において、精米済み米穀の排出用シャッターとして、スライドストロークの不要な構成を提供することである。【解決手段】ホッパー５の米穀排出口６と、その下方に対向した精米済み米穀受け口７との間に排出ロール８を設け、その一端部の開放端に精米室入口を臨ませ、該排出ロール８の周壁に米穀排出口６に対向した米穀通路入口１８、精米済み米穀受け口７に対向した米穀通路出口１９をそれぞれ設け、上記米穀通路出口１９の外面に弾性ある円弧板形のシャッター２１を密着し、該シャッター２１の一側縁を固定するとともに、他側縁を自由端２５とし、上記シャッター２１が米穀通路出口１９を閉鎖した状態から１８０°正回転した状態で、上記自由端２５が回転規制部４４に乗り上げて弾性変形し該米穀通路出口１９を開放するようにした。【選択図】　図４
2004008829.tif 000002
【特許請求の範囲】
【請求項１】
ホッパーの米穀排出口と、その下方に対向した精米済み米穀受け口との間に、米穀の排出方向と直交する回転中心をもった一端開放、他端閉塞の排出ロールを設け、その開放端に精米室入口を臨ませるとともに、閉塞端を貫通して突き出した精米ロールを該排出ロールの中心部を通って上記精米室に挿入し、上記排出ロールの周壁に上記米穀排出口に対向した米穀通路入口、上記精米済み米穀受け口に対向した米穀通路出口をそれぞれ設け、上記米穀通路出口の外面に弾性ある円弧板形のシャッターを密着し、該シャッターの一側縁を該米穀通路出口の回転位相の遅れがわ側縁に固定し、他側縁を自由端とし、上記シャッターが米穀通路出口を閉鎖した状態から一定以上正回転した際に、上記自由端が乗り上げて弾性変形し該米穀通路出口を開放する回転規制部を設けてなる家庭用精米機のシャッター装置。
【請求項２】
上記排出ロールのボス部を、上記精米ロールの駆動用モーターのモーターベースに設けた軸受部において回転自在に支持し、該ボス部にシャッター開閉用アクチュエーターの駆動力を伝達するようにした請求項１に記載の家庭用精米機のシャッター装置。
【請求項３】
上記シャッターは、上記米穀通路出口を閉鎖する円弧板と、その回転位相遅れがわ側縁に結合された弾性板とからなり、該弾性板の回転位相遅れがわ側縁を上記排出ロールに固定してなる請求項１又は２に記載の家庭用精米機のシャッター装置。
【発明の詳細な説明】
【０００１】
【発明の属する技術分野】
この発明は、家庭用精米機のシャッター装置に関するものである。
【０００２】
【従来の技術】
家庭用精米機において、ケーシング内上部にホッパーを設け、そのホッパーの米穀口と、その下方に対向した精米済み米穀受け口との間の米穀通路の側方に精米室入口を臨ませるとともに、その米穀通路を横断する精米ロールを上記精米室に挿入し、上記米穀通路出口にシャッターを設けた循環式家庭用精米機は従来から知られている（特開２００２−７９１１９号公報）。
【０００３】
また、上記シャッターを精米ロールの下半分を囲む樋形に形成し、開閉モーターによりそのシャッターを精米ロールの長さ方向にスライドさせて上記米穀通路出口を開閉する家庭用精米機のシャッター装置は、本願の出願人らがすでに特許出願しているところである（特願２００１−１８６５３１号）。
【０００４】
【発明が解決しようとする課題】
上記のシャッター装置は、自動的に開閉制御することができるので、手動開閉するのものに比べて便利であり、確実に開閉できる利点がある。しかし、この場合のシャッター装置は、シャッターを精米ロールの長さ方向にスライドさせる構造であるため、そのスライドストローク分のスペースが必要となり、この点が家庭用精米機のコンパクト化を妨げる一要因となる問題があった。
【０００５】
そこで、この発明は、シャッターを精米ロールの周りを回転する方向に移動する回転式シャッターとすることにより、上記の問題を解消することを課題とする。
【０００６】
【課題を解決するための手段】
上記の課題を解決するために、この発明は、ホッパーの米穀排出口と、その下方に対向した精米済み米穀受け口との間に、米穀の排出方向と直交する回転中心をもった一端開放、他端閉塞の排出ロールを設け、その開放端に精米室入口を臨ませるとともに、閉塞端を貫通して突き出した精米ロールを該排出ロールの中心部を通って上記精米室に挿入し、上記排出ロールの周壁に上記米穀排出口に対向した米穀通路入口、上記精米済み米穀受け口に対向した米穀通路出口をそれぞれ設け、上記米穀通路出口の外面に弾性ある円弧板形のシャッターを密着し、該シャッターの一側縁を該米穀通路出口の回転位相の遅れがわ側縁に固定し、他側縁を自由端とし、上記シャッターが米穀通路出口を閉鎖した状態から一定以上正回転した際に、上記自由端が乗り上げて弾性変形し該米穀通路出口を開放する回転規制部を設けてなる構成を採用したものである。
【０００７】
上記の構成によると、精米中、シャッターは閉鎖され、ホッパーの米穀排出口と排出ロールの米穀通路入口が連通し、さらに、その排出ロール内部と精米室入口が連通するため、精米ロールが回転するとホッパー内の米穀が精米室内に送り込まれ、循環精米が行われる。精米が完了すると、自動的に排出ロールが１８０°正回転され、米穀通路入口と、米穀通路出口の位置が上下反転する。その回転途中において、シャッターの自由端が回転規制部に乗り上げ、弾性変形して米穀通路出口を開放させる。これにより、開放された米穀通路出口がホッパーの米穀排出口と対向するとともに、米穀通路入口が精米済み米穀受け口に対向し、精米済み米穀がその受け口を経て排出される。排出が完了すると、排出ロールが逆回転され、もとの閉鎖状態に戻る。
【０００８】
なお、上記排出ロールのボス部を、上記精米ロールの駆動用モーターのモーターベースに設けた軸受部において回転自在に支持し、該ボス部にシャッター開閉用アクチュエーターの駆動力を伝達するようにした構成を採ることができる。
【０００９】
さらに、上記シャッターは、上記米穀通路出口を閉鎖する円弧板と、その回転位相遅れがわ側縁に結合された弾性板とからなり、該弾性板の回転位相遅れがわ側縁を上記排出ロールに固定してなる構成を採ることができる。
【００１０】
【発明の実施の形態】
以下、この発明の実施形態を添付図面に基づいて説明する。図１示すように、実施形態の家庭用精米機は、正面から見た全体の形状が、比較的幅の狭い扁平な形状をなすように形成された傾斜循環式精米機である。この精米機は、図２に示すように、ケーシング１の内部において、機台２上に一定の勾配をもって精米用モーター３が取付けられ、そのモーター軸に取付けられた精米ロール４もその勾配をもって斜め上方に延びている。ケーシング１の上部に上面開放のホッパー５が設けられ、その下端部の米穀排出口６の下方に精米ロール４を挟んで精米済み米穀受け口７が臨む。
【００１１】
図３に示すように、上記の米穀排出口６と精米済み米穀受け口７との間に、精米ロール４と同心状体の回転中心をもつ排出ロール８が設けられる。この排出ロール８は円筒状をなし、その一端が開放端９、他端が閉塞端１１となり、その閉塞端１１に軸受ボス部１２が設けられる。さらに、その軸受ボス部１２の周りに歯車１３が一体に設けられる。その軸受ボス部１２が、精米用モーター３のモーターベース１４に固定された軸受部材１５に嵌合され、回転自在に支持される。
【００１２】
上記の排出ロール８の開放端に対向して精米室１６が設けられ、その内部に円筒状の精米スクリーン１７が装着される。精米スクリーン１７の一端部が排出ロール８の開放端９に合致する。また、排出ロール８の閉塞端から前記の精米ロール４が突き出し、その内部中心を貫通して先端側が精米スクリーン１７の内部に挿入される。精米ロール４が排出ロール８を貫通する部分は、送りねじ部１０ａが形成され、また、精米スクリーン１７の内部に挿入された部分には逆送りねじ部１０ｂが形成される。
【００１３】
また、上記の排出ロール８に、ホッパー５の米穀排出口６に対向した米穀通路入口１８が設けられるとともに、その１８０°対向した位置に、精米済み米穀受け口７に対向した米穀通路出口１９が設けられる。その米穀通路出口１９の外面にシャッター２１が密着され閉鎖される（図４（ａ）参照）。
【００１４】
シャッター２１は、米穀通路出口１９の外面に沿ってわん曲した金属製の円弧板２２と、その円弧板２２の一側縁に連結された円弧状の弾性板２３とからなる。
【００１５】
今、図４（ａ）に示した閉鎖状態から、矢印Ａで示した正回転方向を回転位相の進みがわ、その反対方向を回転位相の遅れがわと定めると、前記の弾性板２３は円弧板２２の回転位相の遅れがわ側縁の連結部２４で連結されることになる。また、その円弧板２２の回転位相の進みがわ側縁は自由端２５となり、部分的に外方に屈曲される。また、弾性板２３の回転位相の遅れがわ側縁がビス２６により排出ロール８の外周面に固定される。
【００１６】
上記の歯車１３にピニオン２７を介してアクチュエーターとしてのシャッター開閉用モーター２８が連結される。そのモーター２８は、精米室１６の外側面に取付けられる。
【００１７】
前記の精米室１６は、ホッパー５の下部に沿って出口側が高くなるように傾斜状態に設けられ、その上端の出口が縦向きの戻し通路３１に開放される。その戻し通路３１の上端がホッパー５に開放される。これにより、図２に矢印で示すように、ホッパー５、米穀排出口６、精米室１６、戻し通路３１及びホッパー５の順に米穀が循環する循環通路が構成される。
【００１８】
また、前記の米穀受け口７に連通した米穀ガイド部材３２が設けられ、その米穀ガイド部材３２が米受け容器３３上に開放される。
【００１９】
精米室１６はその下部が長さ方向に開放されて、ぬかガイド部材３４を介してサイクロン装置３５に連通されている。サイクロン装置３５で分離されたぬかはその下方に設置されたぬか受け容器３６に排出され、空気はホース３７を経て吸引装置３８に吸引され、外部に排出される。
【００２０】
なお、ホッパー５の上部に蓋３９（図１、図２参照）が設けられる。また、ケーシング１の前面に操作パネル４０が設けられる。
【００２１】
実施形態の家庭用精米機は以上のようなものであり、次にその作用について説明する。精米に際し使用者が所定量の玄米をホッパー５に投入すると、玄米は排出ロール８の米穀通路入口１８からその内部に入り、シャッター２１により受け止められる。このとき、シャッター２１に作用する荷重によって弾性板２３は変形することなく、円弧板２２を米穀通路出口１９に押し当てる。
【００２２】
次に、操作パネル４０の電源スイッチ４１をオンにし、さらに精米度設定キー４２を操作して所望の精米度をマイコンに入力する。その後、スタートキー４３をオンにすると、マイコンは精米工程を実行し、精米用モーター３が駆動され精米が開始される。排出ロール８内の米穀は精米ロール４の送りねじ部１０ａにより精米スクリーン１７の内部に送り込まれ、その内部において、送り作用と逆送り作用及び精米室１６の傾斜による重力の作用により精米スクリーン１７の内部で玄米相互の摩擦が発生し、その摩擦により次第に精米が行われる。
【００２３】
また、上記の精米作用の進行とともに発生するぬかは、吸引装置３８により吸引され精米スクリーン１７のスリットから外部に排出される。そして、ぬかガイド部材３４を経てサイクロン装置３５に導かれ、そのサイクロン装置３５において空気と分離され、ぬか受け容器３６内に排出される。
【００２４】
このようにして循環経路を循環しながら精米を進行させ、所定の精米度に達したことを適宜なセンサーで検知すると精米を停止させ、シャッター開閉用モーター２８を１８０°だけ正回転させる。そうすると、その回転途中で、シャッター２１の自由端２５がホッパー５の米穀排出口６に衝突してその回転が規制される（図４（ｂ）の二点鎖線参照）。その回転規制部を符号４４で示す。回転規制部４４に衝突した後、自由端２５が回転規制部４４に沿って押上げられ、同時に弾性板２３が弾性変形して排出ロール８の面から離れる。排出ロール８が１８０°回転されると、開放された米穀通路出口１９がホッパー５の米穀排出口１６に対向し、米穀通路入口１８が精米済み米穀受け口７に対向した開放状態となり、ホッパー５内の精米済み米穀が米穀ガイド部材３２を経て米受け容器３３に排出される。
【００２５】
精米済み米穀の排出が完了すると、シャッター開閉用モーター２８が１８０°逆転され、前記の自由端２５が規制部４４から外れると、弾性板２３の弾性によりシャッター２１は元の閉鎖状態に戻る。
【００２６】
【発明の効果】
以上のように、この発明は、精米ロールの周りで回転する排出ロールの外周面に弾性を有するシャッターを取り付け、排出ロールの正回転時にシャッターの自由端部を規制部に押し当てて開放させるようにしたので、従来のようなシャッターのスライドストロークのためのスペースが不要であり、製品のコンパクト化を図ることができる。
【図面の簡単な説明】
【図１】実施形態の斜視図
【図２】同上の断面図
【図３】同上の一部断面図
【図４】（ａ）同上のシャッター閉鎖時の断面図
（ｂ）同上のシャッター開放時の断面図
【図５】同上の排出ロールの一部省略斜視図
【符号の説明】
１　ケーシング
２　機台
３　精米用モーター
４　精米ロール
５　ホッパー
６　米穀排出口
７　精米済み米穀受け口
８　排出ロール
９　開放端
１０ａ　送りねじ部
１０ｂ　逆送りねじ部
１１　閉塞端
１２　軸受ボス部
１３　歯車
１４　モーターベース
１５　軸受部材
１６　精米室
１７　精米スクリーン
１８　米穀通路入口
１９　米穀通路出口
２１　シャッター
２２　円弧板
２３　弾性板
２４　連結部
２５　自由端
２６　ビス
２７　ピニオン
２８　シャッター開閉用モーター
３１　戻し通路
３２　米穀ガイド部
３３　米受け容器
３４　ぬかガイド部材
３５　サイクロン装置
３６　ぬか受け容器
３７　ホース
３８　吸引装置
３９　蓋
４０　操作パネル
４１　電源スイッチ
４２　精米度設定キー
４３　スタートキー
４４　回転規制部
【図１】
2004008829.tif 000003
【図２】
2004008829.tif 000004
【図３】
2004008829.tif 000005
【図４】
2004008829.tif 000006
【図５】
2004008829.tif 000007